(57)【特許請求の範囲】
【請求項１】
長手方向（２４）に軸を有する喫煙物用であって、喫煙物を収容する容器部胴体（２）と、喫煙物の軸に平行なヒンジ軸（１０）を中心に胴体（２）にヒンジ式に取り付けられた蓋（３）と、前記胴体内に位置するライナー（１３）とからなり、ヒンジ軸（１０）が胴体（２）の主要前部または後部パネルの面またはこの面に隣接して位置し、ライナー（１３）が喫煙物を囲む部分を形成する喫煙物用パック（１）において、喫煙物を囲む部分がライナーの前部壁（１４）と、後部壁（１５）と、側部壁（１６；７２，７３，７５，７６；８１）と底部壁（６２，６３；８３，８４；９２；９８）とから形成され且つ蓋（３）が閉じた状態にあるとき閉じられ、蓋（３）が開いた状態にある時には使用者が手を触れることができるように胴体の１側部から突出し、さらに前記喫煙物を囲む部分に前記蓋のヒンジ軸（１０）に平行な方向にパック（１）から喫煙物が取り出せるように開口部が設けられており、前記喫煙物を囲む部分の前部壁（１４）と側壁（１６；７２，７３；７５，７６；８１）が、これら壁部によって形成される前記囲む部分の角およびこの角に隣接する部分で低くなっていることを特徴とする喫煙物用パック。
【請求項２】
蓋（３）の前部壁（５）がその後部壁（１２）より深くなっていて蓋（３）の頂部壁（６）と底部壁（７）が傾斜した縁部を有し、前記胴体の頂部壁と底部壁が前記傾斜した縁部に対応して傾斜した縁部（８，８；２０）を有し、蓋（３）が閉じた際にこれら縁部が重なり合うことを特徴とする請求項１記載の喫煙物用パック。
【請求項３】
ヒンジ軸（１０）に平行な長手方向の寸法を有する立方体であることを特徴とする請求項１または２に記載の喫煙物用パック。
【請求項４】
ホイルで包まれたまたは部分的にホイルで包まれた１パック分の喫煙物を含むパック（１）であることを特徴とする請求項１から３いずれか１項に記載の喫煙物用パック。
【請求項５】
前記ホイルが前記喫煙物を囲む部分の開口部で取り外しできるように破断線によって形成されている部分（１１０）を有することを特徴とする請求項４に記載の喫煙物用パック。
【発明の詳細な説明】
【０００１】
本発明は、喫煙物の包装方法、喫煙物用パック並びに該喫煙物が装填されたパックに関する。
【０００２】
本発明の喫煙物用パックでは、複数の紙巻タバコがその軸がパックの蓋のヒンジの軸と平行となるように位置する。
【０００３】
DE−A−３３４５５８６号にもこのようなパックが提案されている。この場合、ヒンジ式に半分に分けられたパック内でヒンジの軸に平行に紙巻タバコは維持され、パックを開いた際にパックの両半分の内部が使用者に露出するようになっている。紙巻タバコはパックの両半分に装填されていてもよい。この文献の図4に示すようにパックの開閉を妨げる開口した内方フレームが設けられている。またUS−A−５３４４００８号には、複数のヒンジが設けられたパックが開示されている。
【０００４】
またシェル状の外方部分とその内方に位置するスライド部分とからなり、このスライド部分が紙巻タバコを保持し、紙巻タバコの軸に対して垂直方向に外方部分の外側へと移動するパックが、US−Ａ−５０８０２２７号、US−Ａ−４５３４４６３号及びＧＢ−Ａ−２８５７７８号に開示されている。これらのパック全てに共通する特徴は引き出し部分の端部壁がパックの閉鎖部分を形成し、ヒンジ式の蓋が設けられていないということである。
【０００５】
また紙巻タバコ用ショルダーボックスがUS−A−４７６３７７９号及びUS−A−４５７０７９０号に開示されている。これらのボックスは、ボックス部分とこの部分にその節合軸に沿って連結されたヒンジ式蓋とからなる。この節合軸は、通常ボックスの長手方向に延びる側壁の縁部に沿っているかあるいはボックスの縁部に平行に位置する折り曲げ線となり、この折り曲げ線は通常側部パネルの幅の中央に位置する。喫煙物は折り曲げ線を中心に蓋が開けられると露出するようにボックス内に保持されている。これらのボックスは、折り曲げ線に沿って開けられるとその上面は開放されるので、喫煙物を囲む部分を必要としない。
【０００６】
本発明のパックは従来の「フリップ・トップ」式パックと極めて似た形状を有している。しかしながら、このような従来式のパックでは葉巻、紙巻タバコまたはシガリロ（cigarillos）などの喫煙物はその長手軸、即ちその円筒状の胴体の軸がヒンジの軸に対して垂直に位置する。トップ（蓋）がヒンジラインを中心に回転することによって開くと、使用者は列状に配された紙巻タバコの円形の端部を見ることになり、これら紙巻タバコはヒンジの軸に垂直な軸に沿って、通常パックの幅の中央の領域で移動することによって取り出される。通常フリップ・トップ式パックではパック全体としての主軸は、それに含まれる紙巻タバコの軸に平行である。
【０００７】
本発明では長手方向に軸を有し、喫煙物を収容する容器部胴体と、喫煙物の軸に平行なヒンジ軸を中心に胴体にヒンジ式に取り付けられた蓋と、胴体内に位置するライナーとからなり、ヒンジ軸が胴体の主要前部または後部パネルの面またはこの面に隣接して位置し、ライナーが喫煙物を囲む部分を形成する喫煙物用パックにおいて、喫煙物を囲む部分がライナーの前部壁と、後部壁と、側部壁と底部壁とから形成され且つ前記蓋が閉じた状態にあるとき閉じられ、蓋が開いた状態にある時には使用者が手を触れることができるように胴体の１側部から突出し、さらに前記喫煙物を囲む部分に前記蓋のヒンジ軸に平行な方向にパックから喫煙物が取り出せるように開口部が設けられていることを特徴とする喫煙物用パックを提供する。
【０００８】
本発明の特定の態様を添付の図面を参照し、詳述する。
【０００９】
図１乃至３に実質的に従来のパックのように厚紙を折って製せられたパック１の容器部を示し、この容器部には胴体２と蓋３が設けられており、蓋は端部壁４と、前面壁５と頂部及び底部壁６，７を有し、これら頂部壁と底部壁はそれぞれ傾斜した縁部８，９を有する。このように構成することによって本発明のパックは従来のフリップ・トップ型パックと似た形状及び作用を有することになる。しかしながら、このパックは従来のフリップ・トップ型パックとは主要寸法“ａ”が、蓋３が胴体２に対して揺動する際の軸１０に平行であると言う点で異なる。（従来のフリップ・トップ型パックでは蓋の頂部から反対の端部壁までの距離“ｂ”（図３）が、通常、主寸法になる。）。
【００１０】
容器部の胴体２は立方体であり、主要前部パネル１１と後部パネルとからなり、ヒンジの軸１０が位置する後部パネルの面またはこの面に極めて隣接する面にある主要後部パネルと前部パネル１１は平行になっている。主要後部パネルは容器部の蓋３の後部壁１２に続いている。
【００１１】
容器部の胴体２内にライナー１３が挿入され、このライナーは図１に示すように蓋を開いた際に露出する容器部胴体２の部分内に少なくとも突出するように配されている。ライナー１３は胴体２の主要前部パネル１１の内面のすくなくとも一部内に位置し且つ面と面で当接する前部壁１４と容器部の胴体２の主要後部パネル１１の内面の少なくとも一部内に位置し且つ面と面で当接する後部壁１５（図１に示す）とを有する。これら前部壁１４と後部壁１５を接合しているのは紙巻タバコを包囲する部分を形成する側壁１６である。ライナー１３は底部（図示せず）を有する。
【００１２】
ライナー１３の突出部分は頂部壁を有さず、ライナー１３の前部壁１４と側壁１６の上方の角は、双方とも図１及び２に符号１７で示すようにＳ字状に切り欠きしている。従って蓋を開けてパック１の内容物（紙巻タバコ等）を取り出すための開口部は、パック１の閉じた部分の角部分に形成されている。当然のことながら、図３に示すように蓋が閉じている場合にはパック１の内部またはその内容物に触れることはできない。蓋３の前部壁５の縁部１８は、容器部の胴体２の前部壁１１の縁部１９と当接し、傾斜した縁部８，９は胴体２の底部壁（図示せず）及び頂部壁２１の傾斜した縁部２０に当接する。
【００１３】
パック１の内容物は２０本で１パック分の紙巻タバコであり、図２にその一部を符号２２で示している。内容物は、紙巻タバコだけでもよく、ホイルで包まれた１束の紙巻タバコでもまた部分的にホイルで包まれた１束の紙巻タバコであってもよい。これら内容物は全体としてパックの組み立て時にパックのいずれかの側部からライナー１３と共に挿入してもよくあるいは予め組み立てられたパック内に胴体２の側壁２３の従来の端部フラップがパックの組み立ての中間工程でまだ閉じられていない状態の時にライナー１３と共に挿入してもよい。一度組み立てられたらライナー１３は紙巻タバコを取り出す際に移動してはならない。ライナー１３は胴体２内で強く締まり嵌めされていてもよくまたは胴体に糊付けまたはヒートシールされてもよい。
【００１４】
紙巻タバコの中心軸２４は、蓋３のヒンジの軸に平行に位置し、且つこの場合パックの主寸法“ａ”にも平行である。図２に示すように蓋３が開いている場合、使用者は紙巻タバコを包んでいるホイルなどの少なくとも上方に位置する角を取り除いた後、軸２４に沿って紙巻タバコを移動させることによって取り出し開口部から紙巻タバコを取り出してもよい。また取り出される紙巻タバコは、角に最も近い１本、即ち湾曲部１７に最も近い処に位置する紙巻タバコであるのが最も都合がよい。なぜならこの部分が使用者が紙巻タバコを指でつまみやすくしているからである。蓋３が動く際の摩擦的及びまたは中心に据えようと作用する従来のフリップ・トップ式パックのフレームのように作用するライナー１３によってヒンジ軸１０を中心に蓋３が通常の揺動運動することによってパックを再度閉じることができる。
【００１５】
当業者が本発明のパックを製造するにあたって上記の説明で充分であるはずであるが、いくつかのパック及びライナーの好ましいブランクについて以下に説明する。いずれのライナーもいずれのパックに使用でき、いずれも１パック分の紙巻タバコを組み立て前のライナーをパック内に挿入する場合または紙巻タバコを挿入する際に全体的または部分的に組み立てられる場合にも使用可能である。またいずれの場合にも右利きまたは左利き用にすることができる、即ち使用者から離れるように蓋を開いて、取り出し開口部がパックの右上または左上に位置するようにしてもよい。多くの場合、これは切り欠き部１７をライナーの別の角に移動することによって行われる。
【００１６】
図４及び５はパックの容器部のブランクを示し、これらブランクは挿入されたまたは挿入される１パック分の紙巻タバコの軸に対して垂直に折り曲げられる、即ち１パック分の紙巻タバコは予め組み立てられてライナーと共にブランク上に位置させてこの紙巻タバコを囲むように容器部を組み立てていってもよく、容器部を組み立てた後にライナーと共に挿入してもよく、またはライナーと容器部を１パック分の紙巻タバコの周囲で順次組み立てていってもよい。
【００１７】
図４において折り曲げ線３０が容器部胴体の前部壁１１と切り込み線３１によって分けられる蓋３の前部壁５を形成している。切り込み線３１は容器部の胴体の頂部及び底部パネル２１，３２内に傾斜して延び、さらに容器部の蓋３の頂部壁６と底部壁７を形成している。
【００１８】
ブランクの後部パネル３３は、蓋３のヒンジを構成するライン３４を含み、このラインによって蓋３の後部壁１２が、容器部胴体の後部壁３５から分けられている。
【００１９】
底部パネル３２は、後部パネル３３の内側に接合するように設けられたタブ３６を有する。
【００２０】
胴体の側壁２３はブランクの側部パネル２３，３７が重なり合うことによって形成され、内側に折れ曲がった端部タブ３８，３９によって角が強化される。
【００２１】
蓋はタブ３６を胴体の後部壁３５の内側と蓋の後部壁１２の内方面に糊付けされることによって組み立てられる。蓋の頂部壁６と底部壁７は、これら壁を強化するために蓋の頂部壁６と底部壁７の内方面に接着されるパネル３９の端部タブ４０，４１で形成される。
【００２２】
このブランクを組み立てて各部が固定された状態を図３に示す。
【００２３】
図５のブランクはタブ３６が省略されていて、頂部または底部壁パネル２１，３２がそのいずれかのパネルの下で固定するために符号４２で示すパネルが設けられている以外は図４のブランクに類似している。切り込み線２２’が、図示するようにブランクの１縁部に延びている場合、各パネルにおいて切り込み線の端部に切断されないままの部分４３が設けられている。角に位置するタブ４０’、４１’パネル３９上に示され、もう一方の角に位置するタブ３８，３９はパネル３７上に示されている。
【００２４】
別の態様の容器部分のブランクを図６に示す。このブランクは挿入された、または挿入される紙巻タバコの軸に対して平行な軸を中心にその主要パネルが折り曲げられる。後部パネル３５は側部パネル５７を介して前部パネルに接合されており、ヒンジライン３４によって限定された部分を有し、このヒンジラインは部分的に切断された部分５１を含んでいてもよく、このヒンジラインによって限定された部分が蓋の後部壁となり、その側壁と前部壁はパネル４，５によって形成される。パネル５２に付いているフラップ５２は、１８０°折り曲げられ、縁部を形成するためにパネル５の下で固定され、蓋の前部壁を強化している。パックは従来の方法で組み立てられ胴体の頂部パネルと底部パネルと蓋が固定される。蓋のタブ５３，５４と底部パネルのタブ５５，５６はそれぞれ形成される頂部壁と底部壁の下側に位置するように折り曲げられる。
【００２５】
図７に示すブランク５０’は、蓋のタブ５３’、５４’と胴体のタブ５５’、５６’が、頂部壁と底部壁に設けられており、それぞれ蓋の端部壁と胴体の端部壁の下に位置すること以外は上記のブランクと類似している。
【００２６】
これら全てのブランクは組み立てた場合、図１乃至３に示したパックと類似した形態をとる。
【００２７】
図８はライナーの第１のブランクを示す。前部及び後部パネル１４，１５は、折り曲げ線６１を介して側壁１６によって接合している。前部壁１４と側壁１６の間の角縁部をえぐるように切り欠き部１７が設けられており、組み立てられた時にこの切り欠き部を介して紙巻タバコが取り出される。ライナーの底部はパネル６２，６３によって形成され、これらパネルは折り曲げられて互いに重なり合う。ライナーはパック状に組み立てられて容器部内に挿入された（１パック分の紙巻タバコを包装している）際に自由縁部６４，６５が容器部の胴体の側壁に当接し、前部パネルの一部が図１及び図２に示すようにパック胴体の前部壁のリップ部を越えて突出し、その突出した部分は全体で紙巻タバコを囲み、従来のフリップ・トップボックスの内部フレームと同様に作用し、即ち蓋がヒンジ式に開閉される際に蓋に摩擦作用を与え及びまたは蓋が常に閉じられた状態に維持するように作用し、と同時に使用者がパックのヒンジ軸１０に平行な方向に紙巻タバコを取り出すことができ、側壁１６によって紙巻タバコが横方向にこぼれないような広さの幅を前部及び後部パネル１４，１５は有している。
【００２８】
図９は前部パネル１４と後部パネル１５が、それらの狭い方の縁部で２本のヒンジライン７１を介して底部パネル６２’によって接合しているライナー用のブランク７０を示している。第１の側壁は、内側に折り曲げられる端部タブ７４を有するパネル７２，７３を重ね合わせることによって形成され、紙巻タバコを囲む部分の第２の側壁１６は、パネル７５，７６を重ね合わせることによって形成され、パネル７５、７６の一端及び前部パネルにS字状の切り欠き部が設けられ、これが紙巻タバコを取り出すための開口部を形成する。
【００２９】
図１０は図８に示したブランクと同じ様に前部パネル１４と後部パネル１５が、その広い方の縁部で第１側部パネル８１とその２本のヒンジラインを介して接合している。しかしながら、第１側部パネル８１は、パックから突出して紙巻タバコを囲む部分を形成するものではない。側部パネル１６は前部パネルのもう一方の広い縁部にヒンジ式に接合されており、そこから延びたタブ８２が後部パネルの遠い方の縁部１５の内側に固定される。ライナーの底部は、パネル８３とタブ８５，８６によって形成され、これらタブは内側に折り曲げられて第２パネル８４の下に位置する。上記のライナーと同様に蓋を開けた際に露出する側部パネル１６と前部パネル１４の高さは、それらの間の角で紙巻タバコを指でつまめるように低くなっている。
【００３０】
図１１は上記ライナーより単純な形態のライナーブランク９０を示している。その後部パネル１５は、その広い方の縁部で側部壁パネル１６によってその両側に位置するヒンジラインを介して後部パネル１４’に接合される。後部パネル１５の対向するもう一方の幅の広い方の縁部に位置するフラップ９１は、パネル１６に平行となる側部パネルを形成する。ライナーの突出部分とほとんど同様に短いライナーの底部は、側部パネル１６の底端部でフラップ９２によって形成される。このフラップ９２は内側に折り込まれるとその自由端部は、パック胴体の底部の上に位置する。
【００３１】
いずれの態様においてライナーは、それが形成する紙巻タバコ取り出し開口部を永久にふさぐものでない取り外し可能な頂部壁を有していてもよい。
【００３２】
ライナーのブランク９３のさらなる態様を図１２に示す。このライナーは予め組み立てておいて、それをつぶした状態で運び、再度組み立ててパックに挿入してもよい。前部パネル１４と後部パネル１５は折り曲げ線を介して側壁１６に接合している。対向する側壁がフラップ８１によって形成され、このフラップは折り曲げ線を介してパネル１４に接合し、このパネル１４の内側は接着剤またはヒートシール剤がハッチングされた領域９５によって後部パネル１５のフラップ９４に接着される。側壁１６とフラップ９４の底部にはL字状のフラップ９６が設けられている。各L字状フラップ９６はそれぞれ接着剤またはヒートシール剤がハッチングされた領域を有する端部タブ９７が設けられており、これら端部タブはリンク９８によって壁部またはフラップに接合され、リンク９８は側部フラップ９４と端部タブ９７の境界を定める２つの線によって形成される直角を２等分する４５°の角度に傾斜した折り曲げ線９９を有する。
【００３３】
端部タブ９７は、曲げられ、それぞれ前部壁部パネル１４と後部壁部パネル１５の内面に接着される。ライナーが立方体形状に組み立てられるとリンク９８は実質的に平面になり、ライナーの底部壁として部分的に作用する。しかしながら、リンクをライン９９に沿って折り曲げてこのようにいったん組み立てたライナーを横方向につぶすこともできる。
【００３４】
図１３のブランク１００は、紙巻タバコ取り出し開口部が得られるように設けられた１パック分の紙巻タバコ用のホイルラップの外面を示している。ここでは開口部はラップの取り外しできる部分１１０によって形成されている。
【００３５】
前部パネル１０１及び後部パネル１０２は、それぞれの折り曲げ線を介して第１及び第２側部パネル１０３，１０４によって接合している。後部パネル１０２は、組み立てられた状態で部分的に重なり合う２つの部分１０２，１０５からなる。底部及び頂部を形成するパネル１０６，１０７は、ひかえ板（gusset）を用いて折られる。パックから突出して紙巻タバコを囲む部分を形成する部分となるライナーの頂部で且つ前部壁と側壁の間の角で破断線１０８，１０９が頂部の取り外し部分１１０とこの角の取り外し部分を形成している。使用者はパックを開き、ラップを露出させ、この取り外し部分１１０を引っ張ることによって中の紙巻タバコを露出させ、紙巻タバコを取り出す。
【００３６】
上述したようにいずれのライナーもいずれのパックに使用できるが、図１０のライナーと図７のパックが好ましい組み合わせである。
【図面の簡単な説明】
【図１】  組み立てたパックを蓋を開いた状態に示す。
【図２】  １パック分の紙巻タバコを含むパックを蓋を開いた状態に示す。
【図３】  蓋を閉じた状態のパックを示す。
【図４】  胴体と蓋を有する本発明のパックのブランクの内方面を示す。
【図５】  胴体と蓋を有する本発明の別の態様のパックのブランクの内方面を示す。
【図６】  胴体と蓋を有する本発明のさらに別の態様のパックのブランクの内方面を示す。
【図７】  胴体と蓋を有する本発明のまたさらに別の態様のパックのブランクの内方面を示す。
【図８】  ライナー用のブランクの内方面を示す。
【図９】  別の態様のライナー用のブランクの内方面を示す。
【図１０】  さらに別の態様のライナー用のブランクの内方面を示す。
【図１１】  さらにまた別の態様のライナー用のブランクの内方面を示す。
【図１２】  さらに別の態様のライナー用のブランクの内方面を示す。
【図１３】  ホイルラップのブランクの外方面を示す。
【図１】
0004138244.tif 000002
【図２】
0004138244.tif 000003
【図３】
0004138244.tif 000004
【図４】
0004138244.tif 000005
【図５】
0004138244.tif 000006
【図６】
0004138244.tif 000007
【図７】
0004138244.tif 000008
【図８】
0004138244.tif 000009
【図９】
0004138244.tif 000010
【図１０】
0004138244.tif 000011
【図１１】
0004138244.tif 000012
【図１２】
0004138244.tif 000013
【図１３】
0004138244.tif 000014